(57)【要約】【課題】部品の交換時期を予め知らせるとともに、部品が設定された環境等を交換時期に反映させることを目的とする。【解決手段】部品交換時期表示装置は、部品Ａ（ｎ＋１）の交換時期Ｄ（ｎ＋１）を表示する表示部１２と、当該交換時期Ｄ（ｎ＋１）を演算して表示部１２に与える演算部１４とを備える。演算部１４は、交換された部品Ａ（ｉ）（ｉ＝１〜ｎ）のうち直近の複数個Δｎ、すなわち部品Ａ（ｎ−Δｎ＋１）〜Ａ（ｎ）の、それぞれの使用期間Δｔ（ｎ−Δｎ＋１）〜Δｔ（ｎ）を用いてそれらの平均値Ｉ０（ｎ）を求める。そして、部品Ａ（ｎ）の交換が実行された実行時期ｔ（ｎ）に、平均値Ｉ０（ｎ）を加算して、交換時期Ｄ（ｎ＋１）を求める。【選択図】図１
2008170043.tif 000002
【特許請求の範囲】
【請求項１】
部品の交換時期（Ｄ（ｎ＋１））を表示する表示部（１２）と、
前記交換時期を演算して前記表示部に与える演算部（１４）と
を備え、
前記演算部は、交換された部品のうち直近の複数個（Δｎ）それぞれの使用期間（Δｔ（ｎ−Δｎ＋１）〜Δｔ（ｎ））を用いてそれらの平均値（Ｉ０（ｎ）；Ｉ１（ｎ）；Ｉ２（ｎ））を求め、前記部品の交換が実行された時期である実行時期のうち最も直近のもの（ｔ（ｎ））に前記平均値を加算して、前記交換時期を演算する、部品交換時期表示装置。
【請求項２】
第１の操作部（１１２）を更に備え、
前記演算部（１４）では、前記第１の操作部が操作された場合には、最も直近の前記使用期間（Δｔ（ｎ））に対して１よりも小さい重み付け（ｄ１）を行って、前記使用期間（Δｔ（ｎ−Δｎ＋１）〜Δｔ（ｎ））の前記平均値（Ｉ１（ｎ））を求める、請求項１記載の部品交換時期表示装置。
【請求項３】
第１の操作部（１１２）を更に備え、
前記演算部（１４）では、前記第１の操作部が操作された場合には、最も直近の前記使用期間（Δｔ（ｎ））に１よりも小さい係数（ｄ２）を乗じた時間（Δｔｄ２（ｎ））を求め、当該時間と直近の前記数個の前記使用期間（Δｔ（ｎ−Δｎ＋１）〜Δｔ（ｎ））との前記平均値（Ｉ２（ｎ））を求める、請求項１記載の部品交換時期表示装置。
【請求項４】
前記演算部（１４）が前記交換時期（Ｄ（ｎ＋１））の演算を開始するときに、前記第１の操作部（１１２）が操作されていない場合には、前記平均値（Ｉ０（ｎ））は前記使用期間（Δｔ（ｎ−Δｎ＋１）〜Δｔ（ｎ））の単純平均として求められる、請求項２または請求項３記載の部品交換時期表示装置。
【請求項５】
第２の操作部（１１３）を更に備え、
前記演算部（１４）では、前記第２の操作部が操作された場合には、最も直近の前記使用期間（Δｔ（ｎ−１））に１より大きい重み付け（β１）を行って、前記使用期間（Δｔ（ｎ−Δｎ）〜Δｔ（ｎ−１））の前記平均値（Ｉ３（ｎ−１））を求め、前記平均値を最も直近の前記実行時期（ｔ（ｎ−１））に加算して前記交換時期を求めるか、または前記交換時期（Ｄ（ｎ））を更新する、請求項１乃至請求項４のいずれか一つに記載の部品交換時期表示装置。
【請求項６】
第２の操作部（１１３）を更に備え、
前記演算部（１４）では、前記第２の操作部が操作された場合には、最も直近の前記実行時期（ｔ（ｎ−１））から前記第２の操作部が操作されるまでの時間（Δｔ２）を求め、当該時間に１より大きい係数（β２）を乗じた時間（Δｔβ２）を、最も直近の前記実行時期に加算して、前記交換時期を求めるか、または前記交換時期（Ｄ（ｎ））を更新する、請求項１乃至請求項４のいずれか一つに記載の部品交換時期表示装置。
【発明の詳細な説明】
【技術分野】
【０００１】
本発明は部品交換時期表示装置に関し、例えば空調機などのフィルタの交換時期の表示に適用できる。
【背景技術】
【０００２】
従来から、ランプの点灯によって使用者にフィルタ等の部品の交換を促す装置が提案されている。
【０００３】
例えば下掲の特許文献１には、フィルタ交換時期の報知装置が開示されている。具体的には当該報知装置は、空気清浄機のロールフィルタの使用期間が、予め設定された予定期間に到達したときに、ランプの点灯によって使用者にフィルタの交換を促す。そして、上記予定期間は、最も直近に交換されたフィルタが使用された期間に基づいて設定される。
【０００４】
【特許文献１】特開２００２−４５６３３号公報
【発明の開示】
【発明が解決しようとする課題】
【０００５】
しかし、ランプの点灯だけでは部品の交換時期を予め知ることができず、部品の使用状況が把握しにくいという問題がある。
【０００６】
また、最も直近に交換された部品が使用された期間のみに基づいて予定期間を設定するだけは、部品が設置される環境等を反映しにくいという問題がある。
【０００７】
本発明は、上述した事情に鑑みてなされたものであり、部品の交換時期を予め知らせるとともに、部品が設定された環境等を交換時期に反映させることを目的とする。
【課題を解決するための手段】
【０００８】
この発明に請求項１にかかる部品交換時期表示装置は、部品の交換時期（Ｄ（ｎ＋１））を表示する表示部（１２）と、前記交換時期を演算して前記表示部に与える演算部（１４）とを備え、前記演算部は、交換された部品のうち直近の複数個（Δｎ）それぞれの使用期間（Δｔ（ｎ−Δｎ＋１）〜Δｔ（ｎ））を用いてそれらの平均値（Ｉ０（ｎ）；Ｉ１（ｎ）；Ｉ２（ｎ））を求め、前記部品の交換が実行された時期である実行時期のうち最も直近のもの（ｔ（ｎ））に前記平均値を加算して、前記交換時期を演算する。
【０００９】
この発明に請求項２にかかる部品交換時期表示装置は、請求項１記載の部品交換時期表示装置であって、第１の操作部（１１２）を更に備え、前記演算部（１４）では、前記第１の操作部が操作された場合には、最も直近の前記使用期間（Δｔ（ｎ））に対して１よりも小さい重み付け（ｄ１）を行って、前記使用期間（Δｔ（ｎ−Δｎ＋１）〜Δｔ（ｎ））の前記平均値（Ｉ１（ｎ））を求める。
【００１０】
この発明に請求項３にかかる部品交換時期表示装置は、請求項１記載の部品交換時期表示装置であって、第１の操作部（１１２）を更に備え、前記演算部（１４）では、前記第１の操作部が操作された場合には、最も直近の前記使用期間（Δｔ（ｎ））に１よりも小さい係数（ｄ２）を乗じた時間（Δｔｄ２（ｎ））を求め、当該時間と直近の前記数個の前記使用期間（Δｔ（ｎ−Δｎ＋１）〜Δｔ（ｎ））との前記平均値（Ｉ２（ｎ））を求める。
【００１１】
この発明に請求項４にかかる部品交換時期表示装置は、請求項２または請求項３記載の部品交換時期表示装置であって、前記演算部（１４）が前記交換時期（Ｄ（ｎ＋１））の演算を開始するときに、前記第１の操作部（１１２）が操作されていない場合には、前記平均値（Ｉ０（ｎ））は前記使用期間（Δｔ（ｎ−Δｎ＋１）〜Δｔ（ｎ））の単純平均として求められる。
【００１２】
この発明に請求項５にかかる部品交換時期表示装置は、請求項１乃至請求項４のいずれか一つに記載の部品交換時期表示装置であって、第２の操作部（１１３）を更に備え、前記演算部（１４）では、前記第２の操作部が操作された場合には、最も直近の前記使用期間（Δｔ（ｎ−１））に１より大きい重み付け（β１）を行って、前記使用期間（Δｔ（ｎ−Δｎ）〜Δｔ（ｎ−１））の前記平均値（Ｉ３（ｎ−１））を求め、前記平均値を最も直近の前記実行時期（ｔ（ｎ−１））に加算して前記交換時期を求めるか、または前記交換時期（Ｄ（ｎ））を更新する。
【００１３】
この発明に請求項６にかかる部品交換時期表示装置は、請求項１乃至請求項４のいずれか一つに記載の部品交換時期表示装置であって、第２の操作部（１１３）を更に備え、前記演算部（１４）では、前記第２の操作部が操作された場合には、最も直近の前記実行時期（ｔ（ｎ−１））から前記第２の操作部が操作されるまでの時間（Δｔ２）を求め、当該時間に１より大きい係数（β２）を乗じた時間（Δｔβ２）を、最も直近の前記実行時期に加算して、前記交換時期を求めるか、または前記交換時期（Ｄ（ｎ））を更新する。
【発明の効果】
【００１４】
この発明に請求項１にかかる部品交換時期表示装置によれば、表示部に次回の交換時期が表示される。しかも、直近に使用された部品の使用期間を考慮して当該次回の交換時期が演算されるので、部品が設置される環境等を交換時期に反映することできる。
【００１５】
この発明に請求項２または請求項３にかかる部品交換時期表示装置によれば、第１の操作部を操作することで、次回の交換時期までの期間を、前回使用した部品の使用期間よりも短くして、表示部に表示することができる。
【００１６】
この発明に請求項４にかかる部品交換時期表示装置によれば、部品が設置される環境等を交換時期に反映することできる。
【００１７】
この発明に請求項５または請求項６にかかる部品交換時期表示装置によれば、部品を交換せずに第２の操作部を操作することで、当該部品の交換時期を遅らせて表示部に表示することができる。
【発明を実施するための最良の形態】
【００１８】
図１〜図４は、本発明の実施の形態にかかる部品交換時期表示装置を示すブロック図である。当該部品交換時期表示装置は、例えば空調機などの装置に備え付けられた例えばフィルタなどの部品Ａの交換時期Ｄを表示する。なお以下では、当該装置に第ｉ番目（ｉは自然数）に備え付けられた部品Ａを部品Ａ（ｉ）と表し、当該部品Ａ（ｉ）の交換時期Ｄを交換時期Ｄ（ｉ）と表す。
【００１９】
部品交換時期表示装置は、部品交換検知部１１１、第１及び第２の操作部１１２，１１３、表示部１２、記憶部１３、演算部１４、並びに判定部１５を備える。図１〜図４では、検知部１１が更に示されており、検知部１１は部品交換検知部１１１と操作部１１２とを含む。
【００２０】
記憶部１３は、部品Ａ（ｉ）から部品Ａ（ｉ＋１）へと交換が実行された時期を、実行時期ｔ（ｉ）として記憶する。部品Ａ（ｉ）の交換が実行されたかどうかは、検知部１１で検知される。具体的には、部品交換検知部１１１が部品Ａ（ｉ）の交換を検知するか、または後述するように第１の操作部１１２が操作された場合に、検知部１１が部品Ａ（ｉ）の交換が実行されたと判断する。
【００２１】
演算部１４は、部品Ａの交換時期Ｄを演算する。具体的には演算部１４は、図１〜図４に例示されるように第１乃至第３の算出部１４１〜１４３を有し、これらで交換時期Ｄの演算を実行する。
【００２２】
演算部１４は、検知部１１または第２の操作部１１２の動作Ｆ１〜Ｆ３のそれぞれに応じて演算を実行する。動作Ｆ１では、部品交換検知部１１１が部品Ａの交換を検知する。
【００２３】
動作Ｆ２では、部品Ａの交換の際に第１の操作部１１２が操作される。第１の操作部１１２の操作は、交換後の部品Ａの交換時期Ｄを早める場合に実行される。例えば、交換前の部品Ａが著しく劣化していた場合に、当該部品Ａの交換の際に第１の操作部１１２が操作される。
【００２４】
動作Ｆ３では、部品Ａの使用時に第２の操作部１１３が操作される。第２の操作部１１３の操作は、部品Ａの交換をせずに当該部品Ａの交換時期Ｄを遅らせる場合に実行される。例えば、交換しようとした部品Ａがあまり劣化しておらず、交換しなかった場合に、第２の操作部１１３が操作される。
【００２５】
以下では動作Ｆ１〜Ｆ３ごとに、演算部１４で実行される演算について説明する。
【００２６】
＜動作Ｆ１に対応した演算＞
動作Ｆ１に対応する演算部１４の演算を、第ｎ番目（ｎは自然数）の部品Ａ（ｎ）が、第ｎ＋１番目の部品Ａ（ｎ＋１）に交換された場合について、図１を用いて説明する。かかる演算では、演算部１４は演算Ｃ１１と演算Ｃ１２とを実行する。
【００２７】
演算Ｃ１１では、演算部１４は、交換された部品Ａ（ｉ）（ｉ＝１〜ｎ）のうち直近の複数個（個数を以下では符号Δｎで示す。）、すなわち部品Ａ（ｎ−Δｎ＋１）〜Ａ（ｎ）の、それぞれの使用期間Δｔ（ｎ−Δｎ＋１）〜Δｔ（ｎ）を用いてそれらの平均値Ｉ０（ｎ）を求める。
【００２８】
なお、演算部で使用する自然数ｎが、予め設定された個数Δｎより小さい場合には、個数Δｎとして当該自然数ｎが採用される。具体的には、演算部１４で使用する自然数ｎが、予め設定された個数Δｎより小さいか否かを、判定部１５が判定する。自然数ｎが個数Δｎより小さいと判定された場合には、判定部１５は個数Δｎとして当該自然数ｎを採用し、これを演算部１４に与える。
【００２９】
演算Ｃ１１は、例えば第１及び第２の算出部１４１，１４２で実行される（図１）。第１の算出部１４１は、記憶部１３から実行時期ｔ（ｎ−Δｎ）〜ｔ（ｎ）を読み出して、式（１）を演算することで、使用期間Δｔ（ｎ−Δｎ＋１）〜Δｔ（ｎ）を求める。使用期間Δｔ（ｎ−Δｎ＋１）〜Δｔ（ｎ）は、第２の算出部１４２に与えられる。なお式（１）においてｉ＝１の場合に右辺に現れる時期ｔ（０）には、例えば第１番目の部品Ａ（１）が備え付けられた時期や、部品Ａ（１）を備えた装置の使用が開始された時期などが採用される。
【００３０】
【数１】
2008170043.tif 000003
【００３１】
第２の算出部１４２は、使用期間Δｔ（ｎ−Δｎ＋１）〜Δｔ（ｎ）を用いてそれらの平均値Ｉ０（ｎ）を、式（２）により単純平均によって求める。
【００３２】
【数２】
2008170043.tif 000004
【００３３】
演算Ｃ１２では、演算部１４は、部品Ａ（ｎ）の交換が実行された実行時期ｔ（ｎ）に、平均値Ｉ０（ｎ）を加算して、交換時期Ｄ（ｎ＋１）を求める。演算Ｃ１２は、例えば第３の算出部１４３で実行され、実行時期ｔ（ｎ）は、例えば第３の算出部１４３によって記憶部１３から読み出される。
【００３４】
演算部１４が演算した交換時期Ｄ（ｎ＋１）は、表示部１２に与えられ、表示部１２で表示される。
【００３５】
動作Ｆ１に対応して実行される上記演算によれば、直近に使用された部品Ａ（ｎ−Δｎ＋１）〜Ａ（ｎ）の使用期間Δｔ（ｎ−Δｎ＋１）〜Δｔ（ｎ）を考慮して、次回の交換時期Ｄ（ｎ＋１）が演算されるので、部品Ａが設置される環境等を交換時期Ｄに反映することができる。
【００３６】
＜動作Ｆ２に対応した演算＞
動作Ｆ２に対応する演算部１４の演算を、第ｎ番目の部品Ａ（ｎ）（ｎは自然数）が、第ｎ＋１番目の部品Ａ（ｎ＋１）に交換された場合について、図２を用いて説明する。かかる演算では、演算部１４は演算Ｃ２１と演算Ｃ２２とを実行する。
【００３７】
演算Ｃ２１では、演算部１４は、直近のΔｎ個の使用期間Δｔ（ｎ−Δｎ＋１）〜Δｔ（ｎ）について、最も直近の使用期間Δｔ（ｎ）に１より小さい重み付けｄ１を行ってから、それらの平均値Ｉ１（ｎ）を求める。なお、演算部１４で使用する自然数ｎが、予め設定された個数Δｎより小さい場合には、個数Δｎとして当該自然数ｎが採用される。
【００３８】
演算Ｃ２１は、例えば第１及び第２の算出部１４１，１４２で実行される（図２）。第１の算出部１４１は、記憶部１３から実行時期ｔ（ｎ−Δｎ）〜ｔ（ｎ）を読み出して、式（１）を演算することで、使用期間Δｔ（ｎ−Δｎ＋１）〜Δｔ（ｎ）を求める。使用期間Δｔ（ｎ−Δｎ＋１）〜Δｔ（ｎ）は、第２の演算部１４２に与えられる。
【００３９】
第２の演算部１４２は、最も直近の使用期間Δｔ（ｎ）に重み付けｄ１を行って、時間Δｔｄ１（ｎ）を得る。第２の演算部１４２は、時間Δｔｄ１（ｎ）と、使用期間Δｔ（ｎ−Δｎ＋１）〜Δｔ（ｎ−１）とを用いて、それらの平均値Ｉ１（ｎ）を式（３）により求める。ただし、ｎ＝１の場合には、式（３）に代えて式（４）を採用する。
【００４０】
【数３】
2008170043.tif 000005
【００４１】
【数４】
2008170043.tif 000006
【００４２】
演算Ｃ２２では、演算部１４は、部品Ａ（ｎ）の交換が実行された実行時期ｔ（ｎ）に、平均値Ｉ１（ｎ）を加算して、交換時期Ｄ（ｎ＋１）を求める。演算Ｃ２２は、例えば第３の算出部１４３で実行され、実行時期ｔ（ｎ）は、例えば第３の算出部１４３によって記憶部１３から読み出される。
【００４３】
演算部１４が演算した交換時期Ｄ（ｎ＋１）は、表示部１２に与えられ、表示部１２で表示される。
【００４４】
動作Ｆ２に対応して実行される上記演算によれば、直近に使用された部品Ａ（ｎ−Δｎ＋１）〜Ａ（ｎ）の使用期間Δｔ（ｎ−Δｎ＋１）〜Δｔ（ｎ）を考慮して、次回の交換時期Ｄ（ｎ＋１）が演算されるので、部品Ａが設置される環境等を交換時期Ｄに反映することできる。しかも、第１の操作部１１２を操作することで、次回の交換時期Ｄ（ｎ＋１）までの期間を、前回使用した部品の使用期間Δｔ（ｎ）よりも短くして、表示部１２に表示することができる。
【００４５】
演算Ｃ２１，Ｃ２２に代えて、以下の演算Ｃ２３，Ｃ２４を演算部１４で実行しても良い。
【００４６】
演算Ｃ２３では、演算部１４は、最も直近の使用期間Δｔ（ｎ）に対して１よりも小さい係数ｄ２を乗じて時間Δｔｄ２（ｎ）を求め、当該時間Δｔｄ２（ｎ）と直近のΔｎ個の使用期間Δｔ（ｎ−Δｎ＋１）〜Δｔ（ｎ）との平均値Ｉ２（ｎ）を求める。なお、演算部で使用する自然数ｎが、予め設定された個数Δｎより小さい場合には、個数Δｎとして当該自然数ｎが採用される。
【００４７】
演算Ｃ２３は、例えば第１及び第２の算出部１４１，１４２で実行される（図２）。第１の算出部１４１は、記憶部１３から実行時期ｔ（ｎ−Δｎ）〜ｔ（ｎ）を読み出して、式（１）を演算することで、使用期間Δｔ（ｎ−Δｎ＋１）〜Δｔ（ｎ）を求める。使用期間Δｔ（ｎ−Δｎ＋１）〜Δｔ（ｎ）は、第２の演算部１４２に与えられる。
【００４８】
第２の演算部１４２は、最も直近の使用期間Δｔ（ｎ）に係数ｄ２を乗じて、時間Δｔｄ２（ｎ）を得る。時間Δｔｄ２（ｎ）と、使用期間Δｔ（ｎ−Δｎ＋１）〜Δｔ（ｎ）とを用いて、それらの平均値Ｉ２（ｎ）を式（５）により求める。
【００４９】
【数５】
2008170043.tif 000007
【００５０】
演算Ｃ２４では、演算部１４は、部品Ａ（ｎ）の交換が実行された実行時期ｔ（ｎ）に、平均値Ｉ２（ｎ）を加算して、交換時期Ｄ（ｎ＋１）を求める。演算Ｃ２４は、例えば第３の算出部１４３で実行される。
【００５１】
かかる演算Ｃ２３，Ｃ２４によれば、交換した部品Ａ（ｎ＋１）の使用期間を一旦、時間Δｔｄ２（ｎ）と予測しておいて、さらに直近に交換されたΔｎ個の使用期間Δｔ（ｎ−Δｎ＋１）〜Δｔ（ｎ）を考慮して、部品Ａ（ｎ＋１）の交換時期Ｄ（ｎ＋１）が求められるので、精度の高い交換時期Ｄ（ｎ＋１）を表示部１２に表示できる。
【００５２】
なお上述した演算Ｃ２１は、次のように把握することができる。演算部１４では、第1の操作部１１２が操作された場合には、直近のΔｎ個の使用期間Δｔ（ｎ−Δｎ＋１）〜Δｔ（ｎ）について、最も直近の使用期間Δｔ（ｎ）に対しては１よりも大きく２より小さい重み付けｅを行って、それらの平均値Ｉ２（ｎ）を求める。
【００５３】
すなわち使用期間Δｔ（ｎ）に関して、係数ｄ２と重み付けｅとの関係は式（６）で表される。
【００５４】
【数６】
2008170043.tif 000008
【００５５】
使用期間Δｔ（ｎ）に重み付け（以下、「重み付けα」という。）を行うという観点からみれば、演算Ｃ２１，Ｃ２２と演算Ｃ２３，Ｃ２４とは同じ演算になる。ただし、平均値Ｉ１（ｎ）を求める式（３）では右辺の分母はΔｎであるが、平均値Ｉ２（ｎ）を求める式（５）の右辺の分母は（Δｎ＋１）である。
【００５６】
よって、その重み付けαに１より小さい値を採用すれば演算Ｃ２１，Ｃ２２を実行でき、重み付けαに１より大きく２より小さい値を採用すれば演算Ｃ２３，Ｃ２４が実行できる（図２）。さらには、上述した演算Ｃ１１，Ｃ１２においては使用期間Δｔ（ｎ）の重み付けが１であるとみれるので、重み付けαに１を採用することで演算Ｃ１１，Ｃ１２も実行できる（図１）。
【００５７】
＜動作Ｆ３に対応した演算＞
動作Ｆ３に対応する演算部１４の演算を、部品Ａ（ｎ）が使用されている場合について、図３を用いて説明する。かかる演算では、演算部１４は演算Ｃ３１と演算Ｃ３２とを実行する。
【００５８】
演算Ｃ３１では、演算部１４は、部品Ａ（ｎ）への交換が実行された実行時期ｔ（ｎ−１）から見て直近のΔｎ個の使用期間Δｔ（ｎ−Δｎ）〜Δｔ（ｎ−１）について、最も直近の使用期間Δｔ（ｎ−１）に１より大きい重み付けβ１を行ってから、それらの平均値Ｉ３（ｎ−１）を求める。なお、演算Ｃ３１は、自然数ｎが２以上である場合に実行される。また、演算部１４で使用する自然数ｎが、予め設定された個数Δｎより小さい場合には、個数Δｎとして当該自然数ｎが採用される。
【００５９】
演算Ｃ３１は、例えば第１及び第２の算出部１４１，１４２で実行される。第１の算出部１４１は、記憶部１３から実行時期ｔ（ｎ−Δｎ−１）〜ｔ（ｎ−１）を読み出して、式（１）を演算することで、使用期間Δｔ（ｎ−Δｎ）〜Δｔ（ｎ−１）を求める。使用期間Δｔ（ｎ−Δｎ）〜Δｔ（ｎ−１）は、第２の演算部１４２に与えられる。
【００６０】
第２の演算部１４２は、最も直近の使用期間Δｔ（ｎ−１）に重み付けβ１を行って、時間Δｔβ１（ｎ）を得る。第２の演算部１４３は、時間Δｔβ１（ｎ）と、使用期間Δｔ（ｎ−Δｎ）〜Δｔ（ｎ−２）とを用いて、それらの平均値Ｉ３（ｎ−１）を式（７）により求める。ただし、ｎ＝２の場合には、式（７）に代えて式（８）を採用する。
【００６１】
【数７】
2008170043.tif 000009
【００６２】
【数８】
2008170043.tif 000010
【００６３】
演算Ｃ３２では、演算部１４は、部品Ａ（ｎ）への交換が実行された実行時期ｔ（ｎ−１）に、平均値Ｉ３（ｎ−１）を加算して、交換時期Ｄ（ｎ）を更新する。演算Ｃ３２は、例えば第３の算出部１４３で実行され、実行時期ｔ（ｎ−１）は、例えば第３の算出部１４３によって記憶部１３から読み出される。
【００６４】
演算部１４で更新された交換時期Ｄ（ｎ）は、表示部１２に与えられ、表示部１２で表示される。
【００６５】
かかる態様Ｆ３によれば、部品Ａ（ｎ）を交換せずに第２の操作部１１３を操作することで、当該部品Ａ（ｎ）の交換時期Ｄ（ｎ）を遅らせて表示部１２に表示することができる。
【００６６】
図４は、演算Ｃ３１，Ｃ３２に代えて演算Ｃ３３，Ｃ３４を演算部１４で実行する場合が示されている。演算Ｃ３３，Ｃ３４によっても演算Ｃ３１，Ｃ３２と同様の効果が得られる。
【００６７】
演算Ｃ３３では、演算部１４は、最も直近の実行時期ｔ（ｎ−１）から第２の操作部１１３が操作されるまでの時間Δｔ２を求め、当該時間ｔ２に１より大きい係数β２を乗じて、時間Δｔβ２を得る。演算Ｃ３３は、自然数ｎが１であっても実行できる。
【００６８】
演算Ｃ３３は、例えば第１及び第２の算出部１４１，４１２で実行される（図４）。第１の算出部１４１は、第２の操作部１１３が操作された場合に、第２の操作部が操作された時間ｔ２を求める。時間ｔ２は、例えば第１の算出部１４１の外部に設けられた計測部で計測し、当該計測部から時間ｔ２を得ても良い。これに並行して算出部１４１は、記憶部１３から実行時期ｔ（ｎ−１）を読み出す。そして、式（９）により時間Δｔ２を求める。
【００６９】
【数９】
2008170043.tif 000011
【００７０】
第２の演算部１４２は、時間Δｔ２に係数β２を乗じて、時間Δｔβ２を求める。
【００７１】
演算Ｃ３４では、演算部１４は、時間Δｔβ２を最も直近の実行時期ｔ（ｎ−１）に加算して、交換時期Ｄ（ｎ）を更新する。演算Ｃ３４は、例えば第３の算出部１４３で実行される。
【００７２】
＜フローチャート＞
上述した演算部１４の演算は、図５〜７に示されるフローチャートに従って実行される。なお、図６及び図７には、図５に示される接続子Ｇ１に続くフローチャートが示されている。
【００７３】
部品交換時期表示装置の動作が開始すると、まずステップ２０１で第１の操作部１１２の操作があったか否かが判断される。第１の操作部１１２の操作があったと判断された場合には、ステップ２０２へと移行する。他方、ステップ２０１において、第１の操作部１１２の操作がないと判断された場合には、ステップ２０３へと移行する。
【００７４】
ステップ２０２では、上述した演算Ｃ２１，Ｃ２２と演算Ｃ２３，Ｃ２４のいずれかが選択される。演算Ｃ２１，Ｃ２２が選択された場合には、ステップ２０４に移行して、重み付けαとして重み付けｄ１が採用されるとともに、変数Ｊとして個数Δｎが採用される。演算Ｃ２３，Ｃ２４が採用された場合には、ステップ２０５に移行して、重み付けαとして重み付けｅが採用されるとともに、変数Ｊとして個数Δｎに１を加算した値が採用される。ステップ２０４，２０５の実行後は、いずれもステップ２０７へと移行する。
【００７５】
ステップ２０３では、部品Ａ（ｎ）が交換されたか否かが判断される。かかる判断は、部品交換検知部１１１で判断される。部品Ａ（ｎ）が交換されたと判断された場合には、ステップ２０６へと移行する。ステップ２０６では、重み付けαとして１が採用されるとともに、変数Ｊとして個数Δｎが採用され、その後ステップ２０７へと移行する。
【００７６】
ステップ２０７では、変数Ｊが自然数ｎよりも大きいか否かが判断される。変数Ｊが自然数ｎより大きいと判断された場合には、ステップ２０８へと移行する。ステップ２０８では、変数Ｊとして当該自然数ｎが採用されて、その後ステップ２０９へと移行する。
【００７７】
他方、ステップ２０７で、変数Ｊが自然数ｎ以下であると判断された場合には、ステップ２０９へと直接移行する。
【００７８】
ステップ２０９では、式（１０）により平均値Ｉ（ｎ）が求められる。ただし、ｎ＝１の場合には、式（１０）に代えて式（１１）を採用する。
【００７９】
【数１０】
2008170043.tif 000012
【００８０】
【数１１】
2008170043.tif 000013
【００８１】
ステップ２０１からステップ２０２，２０４を経由してステップ２０９に移行した場合には、上述した演算Ｃ２１で得られる平均値Ｉ１（ｎ）が、ステップ２０９において平均値Ｉ（ｎ）として求められる。
【００８２】
ステップ２０１からステップ２０２、２０５を経由してステップ２０９に移行した場合には、上述した演算Ｃ２３で得られる平均値Ｉ２（ｎ）が、ステップ２０９において平均値Ｉ（ｎ）として求められる。
【００８３】
ステップ２０１からステップ２０３，２０６を経由してステップ２０９に移行した場合には、上述した態様Ｆ１で得られる平均値Ｉ０（ｎ）が、ステップ２０９において平均値Ｉ（ｎ）として求められる。
【００８４】
ステップ２０９の実行後、ステップ２１０に移行して、部品Ａ（ｎ）の交換が実行された実行時期ｔ（ｎ）に、平均値Ｉ（ｎ）が加算されて交換時期Ｄ（ｎ＋１）が求められる。そして、当該交換時期Ｄ（ｎ＋１）が表示部１２で表示される。
【００８５】
上記ステップ２０３において、部品Ａ（ｎ）が交換されていないと判断された場合には、ステップ２１１へと移行する。ステップ２１１では、第２の操作部１１３の操作があったかどうかが判断される。第２の操作部１１３の操作があったと判断された場合には、図６または図７に示されるステップ２１２に移行する。
【００８６】
他方、ステップ２１１において、第２の操作部１１３の操作がないと判断された場合には、ステップ２０１に戻って上述したフローが繰り返される。
【００８７】
図６に示されるステップ２１２では、式（７）または式（８）により平均値Ｉ３（ｎ−１）が求められる。ステップ２１２の実行後、ステップ２１３に移行して、部品Ａ（ｎ−１）の交換が実行された実行時期ｔ（ｎ−１）に、平均値Ｉ３（ｎ−１）が加算されて交換時期Ｄ（ｎ）が更新される。そして、更新された交換時期Ｄ（ｎ）が表示部１２で表示される。ステップ２１１から、図６のステップ２１０へと移行するフローは、上述した演算Ｃ３１，Ｃ３２が演算部１４で実行される場合に相当する。
【００８８】
図７に示されるステップ２１２では、時間Δｔ２に係数β２を乗じて、時間Δｔβ２が求められる。ステップ２１２の実行後、ステップ２１３に移行して、部品Ａ（ｎ−１）の交換が実行された実行時期ｔ（ｎ−１）に、時間Δｔβ２が加算されて交換時期Ｄ（ｎ）が更新される。そして、更新された交換時期Ｄ（ｎ）が表示部１２で表示される。ステップ２１１から、図７に示されるステップ２１２へと移行するフローは、上述した演算Ｃ３３，Ｃ３４が演算部１４で実行される場合に相当する。
【図面の簡単な説明】
【００８９】
【図１】部品交換時期表示装置を概念的に示すブロック図である。
【図２】部品交換時期表示装置を概念的に示すブロック図である。
【図３】部品交換時期表示装置を概念的に示すブロック図である。
【図４】部品交換時期表示装置を概念的に示すブロック図である。
【図５】演算部１４の演算のフローを示す図である。
【図６】演算部１４の演算のフローを示す図である。
【図７】演算部１４の演算のフローを示す図である。
【符号の説明】
【００９０】
１２  表示部
１４  演算部
１１２  第１の操作部
１１３  第２の操作部
Ｄ（ｎ），Ｄ（ｎ＋１）  交換時期
Δｎ  個数
Δｔ（ｎ−Δｎ）〜Δｔ（ｎ）  使用期間
Ｉ０（ｎ）〜Ｉ２（ｎ），Ｉ３（ｎ−１），Ｉ（ｎ）  平均値
ｔ（ｎ−１），ｔ（ｎ）  実行時期
ｄ１，β１  重み付け
ｄ２，β２  係数
Δｔｄ２（ｎ），Δｔ２，Δｔβ２  時間
【図１】
2008170043.tif 000014
【図２】
2008170043.tif 000015
【図３】
2008170043.tif 000016
【図４】
2008170043.tif 000017
【図５】
2008170043.tif 000018
【図６】
2008170043.tif 000019
【図７】
2008170043.tif 000020